(57)【要約】【課題】簡易に実現可能であり、鮮明な画質で、被写体（使用者）がカメラ目線による構図の確認及び自分撮りを行うことが可能な、撮影システムを提供することを課題とする。【解決手段】被写体を撮影する撮影レンズと、視覚情報を表示する表示領域と、を備え、前記表示領域は、複数の表示体と、この複数の表示体を区画するフレーム部と、を有し、前記撮影レンズは、前記フレーム部に設けられていることを特徴とする。【選択図】図１
2019009603.tif 000002
【特許請求の範囲】
【請求項１】
被写体を撮影する撮影レンズと、視覚情報を表示する表示領域と、を備え、
前記表示領域は、複数の表示体と、この複数の表示体を区画するフレーム部と、を有し、
前記撮影レンズは、前記フレーム部に設けられていることを特徴とする、撮影システム。
【請求項２】
前記撮影レンズは、前記表示領域の中央寄りに設けられていることを特徴とする、請求項１に記載の撮影システム。
【請求項３】
前記フレーム部の幅と前記撮影レンズの外径とが略同一であることを特徴とする、請求項１又は２に記載の撮影システム。
【請求項４】
前記複数の表示体は、複数の前記視覚情報を適宜変更可能に表示する複数のディスプレイであることを特徴とする、請求項１〜３の何れかに記載の撮影システム。
【請求項５】
前記複数のディスプレイは、それぞれに異なる視覚情報を表示可能であることを特徴とする、請求項４に記載の撮影システム。
【請求項６】
前記複数のディスプレイの内、少なくとも一つにはテキスト情報を表示可能であることを特徴とする、請求項５に記載の撮影システム。
【発明の詳細な説明】
【技術分野】
【０００１】
本発明は、カメラ等の撮影装置を用いた撮影時に、被撮影者自身で構図の確認及び撮影を行うことが可能な、撮影システムに係るものである。
【背景技術】
【０００２】
カメラ付きのモバイル端末が、一般に広く用いられるようになって久しい。
【０００３】
特に、近年では、解像度や光学手ぶれ補正といった撮影性能の飛躍的な向上や、様々なＳＮＳ（ソーシャル・ネットワーキング・サービス）の普及により、モバイル端末の内側に搭載されたインカメラを用いた自分自身の撮影、所謂自分撮りを行う文化が、日本のみならず海外においても定着している。
【０００４】
しかし、このインカメラは、通常モバイル端末の周縁部に設けられていることから、自分撮りを行う際に以下のような問題が生ずる。即ち、撮影者が、カメラ目線での撮影を行う場合、ディスプレイに表示された自分自身の構図を確認できず、逆に構図を確認しながら撮影を行う場合、目線がカメラから外れてしまうという問題である。
【０００５】
このような問題点を解決するために、特許文献１には、液晶表示部と、その表示領域の使用者の目線と重なる位置にカメラのレンズ開口部とが形成され、前記液晶表示部には、前記カメラのレンズ開口部がはめ込まれるように穴が形成された、情報端末が記載されている。
上記構成により、自分撮りの際に、撮影者が目線を外すことなく自然に且つ自身の顔を確認しつつ撮影することが可能となる。
【０００６】
また、特許文献２には、撮影する画像を画面に表示する表示手段を有するカメラであって、前記表示手段は、画像を表示しない時には透明となる発光型の表示素子からなり、撮影用レンズの前面に配置されていることを特徴とするカメラが記載されている。
上記構成により、撮影者が、自身の表情を確認しながら、且つ、視線が正しく撮影レンズを向いた自分自身の顔を撮影することが可能となる。
さらに、前記表示手段の画面に画像非表示領域を設けることにより、撮影画像に前記表示手段の画像が与える影響を除くことが可能となる。
【０００７】
また、特許文献３には、被撮像体の正面に配置される表示手段と、前記表示手段の裏面側に配置され、前記表示手段を通して前記被撮像体を撮像する撮像手段と、前記表示手段を通して前記被撮像体を撮像する撮像モードと前記撮像手段により撮像された画像を前記表示手段に表示する表示モードとを切り替える制御を行う切替え制御手段とを有することを特徴とする電子鏡システムが記載されている。
上記構成により、実際の鏡に映し出した像と同じように画像表示を行うことができ、画像の加工、アレンジ、伝送を行うことも可能となる。
さらに、前記表示手段は、前記撮像モードにおいて透過度の高い透過状態とすることで、利用者が前記撮像手段の位置を把握できるため、撮影者が前記撮像手段に目線を向けた状態の画像を取得し、表示することが可能となる。
【先行技術文献】
【特許文献】
【０００８】
【特許文献１】特開２００４−２９７７３３号公報
【特許文献２】特開２００６−１１５４７４号公報
【特許文献３】特開２００４−３２０２３６号公報
【発明の概要】
【発明が解決しようとする課題】
【０００９】
しかしながら、特許文献１に記載の情報端末は、製造の際にディスプレイに穴を設ける工程が必要であり、技術的な専門性及び困難性から、製造コストが高騰し、量産が困難なものとなる。
【００１０】
また、特許文献２に記載のカメラ及び特許文献３に記載の電子鏡システムは、ディスプレイが、撮影手段の前方に設けられている構成である。液晶や有機ＥＬを用いたディスプレイは半透明であるから、このような位置関係により、撮影手段の前方に何も無い状態と比較して、撮影手段から得られる動画や静止画の画質の鮮明度が低下する。
【００１１】
本発明は上記のような実状に鑑みてなされたものであり、簡易に実現可能であり、鮮明な画質で、被撮影者がカメラ目線による構図の確認及び自分撮りを行うことが可能な、撮影システムを提供することを課題とする。
【課題を解決するための手段】
【００１２】
上記課題を解決するために、本発明は、
被写体を撮影する撮影レンズと、視覚情報を表示する表示領域と、を備え、
前記表示領域は、複数の表示体と、この複数の表示体を区画するフレーム部と、を有し、
前記撮影レンズは、前記フレーム部に設けられていることを特徴とする。
【００１３】
本発明によれば、表示体に穴を設ける加工を施すことなく、表示領域の内部に撮影レンズを設けることができ、被撮影者がカメラ目線による構図の確認及び自分撮りを行うことが可能となる。また、撮影レンズの前方は完全に露出した状態であるから、常に鮮明な画質での撮影を行うことが可能となる。
【００１４】
本発明の好ましい形態では、前記撮影レンズは、前記表示領域の中央寄りに設けられていることを特徴とする。
【００１５】
このような構成とすることで、カメラ目線による構図の確認及び自分撮りを、さらに容易に行うことが可能となる。
【００１６】
本発明の好ましい形態では、前記フレーム部の幅と前記撮影レンズの外径とが略同一であることを特徴とする。
【００１７】
このような構成とすることで、複数の表示体間の距離が近接し、視覚情報が視認しやすくなる。
【００１８】
本発明の好ましい形態では、前記複数の表示体は、複数の前記視覚情報を適宜変更可能に表示する複数のディスプレイであることを特徴とする。
【００１９】
このような構成とすることで、例えば、本発明を適用した端末に、撮影レンズを通した映像を適宜左右反転して表示する、撮影した画像を表示する等の機能を付加することができる。これにより、通常のインカメラのような鏡像の他に、相手から見えるそのままの像を表示することが可能となる。さらに、撮影した画像をその都度確認できることから、より理想的な自分撮りの写真を撮影することが可能となる。
また、自分撮り以外の用途として、例えば、幼児を撮影する際に、幼児の興味を引く映像を表示しておくことができる。これにより、幼児の目線を表示領域内に誘導し、カメラ目線の写真撮影を容易に行うことが可能となる。
【００２０】
本発明の好ましい形態では、前記複数のディスプレイは、それぞれに異なる視覚情報を表示可能であることを特徴とする。
【００２１】
このような構成とすることで、例えば、一つのディスプレイに動画を表示し、もう一つのディスプレイに撮影レンズを通した自身の映像を表示しておくことができる。これにより、本発明を適用した端末一つで、容易に実況動画の撮影を行うことが可能となる。
【００２２】
本発明の好ましい形態では、前記複数のディスプレイの内、少なくとも一つにはテキスト情報を表示可能であることを特徴とする。
【００２３】
このような構成とすることで、例えば、一つのディスプレイに台本やインタビュー原稿等を表示し、もう一つのディスプレイに撮影レンズを通した自身の映像を表示しておくことができる。これにより、本発明を適用した端末をプロンプターとして利用することができ、かつ撮影レンズを通した自身の構図等を確認しながら撮影を行うことが可能となる。
【発明の効果】
【００２４】
本発明によれば、簡易に実現可能であり、鮮明な画質で、被撮影者がカメラ目線による構図の確認及び自分撮りを行うことが可能な、撮影システムを提供することができる。
【図面の簡単な説明】
【００２５】
【図１】本発明の実施形態に係る撮影システムの概要図である。
【図２】本発明の実施形態に係る撮影システムの使用状態を示す概要図である。
【図３】本発明の実施形態に係る撮影システムの第一の表示例である。
【図４】本発明の実施形態に係る撮影システムの第二の表示例である。
【図５】本発明の実施形態に係る撮影システムの第三の表示例である。
【図６】本発明の実施形態に係る撮影システムにおける、表示体の配置形態の変更例を示すものであって、（ａ）第一の変更例、（ｂ）第二の変更例である。
【図７】本発明の実施形態に係る撮影システムの、表示体への出力内容及び出力形式を決定するための処理フローチャートである。
【発明を実施するための形態】
【００２６】
以下、図面を用いて、本発明の実施形態に係る撮影システムについて説明する。なお、以下に示す実施形態は本発明の一例であり、本発明を以下の実施形態に限定するものではない。
【００２７】
図１に示す様に、本発明の実施形態に係る撮影システムＦは、演算装置（ＣＰＵ）、記憶装置（ＲＡＭ）、補助記憶装置（ＨＤＤやＳＳＤなど）、出力装置、入力装置、スピーカー等を備えた、スマートフォンＰの片面に適用されている。
【００２８】
撮影システムＦの適用対象は、スマートフォンに限定されず、タブレットＰＣやＰＤＡ等の携帯情報端末、パーソナルコンピュータ等の情報通信端末であっても良い。
【００２９】
本発明の実施形態に係る撮影システムＦは、撮影レンズＦ１と、表示領域Ｆ２と、を備えている。また、表示領域Ｆ２は、二つの表示体Ｆ２１と、フレーム部Ｆ２２と、を有している。
【００３０】
図１において、表示体Ｆ２１は、スマートフォンＰにより処理及び記憶された視覚情報を表示する略矩形状のディスプレイであり、タッチパネル式の液晶ディスプレイや有機ＥＬディスプレイ等が考えられる。
【００３１】
また、二つの表示体Ｆ２１は、略同一サイズであり、一つの略矩形状のディスプレイを、フレーム部Ｆ２２を用いて、短辺方向に二等分割したような構成で配置されている。
【００３２】
フレーム部Ｆ２２は、略矩形状であり、撮影システムＦが適用されたスマートフォンＰの面と一続きに形成されている。また、フレーム部Ｆ２２と、二つの表示体Ｆ２１とは、略同一平面上に設けられている。
【００３３】
撮影レンズＦ１は、表示領域Ｆ２の略中央かつフレーム部Ｆ２２に重なるように設けられている。また、フレーム部Ｆ２２の短辺方向の幅と、撮影レンズＦ１の径は略同一であり、二つの表示体Ｆ２１が、撮影レンズＦ１の周縁部と接するように構成されている。
【００３４】
図２に示す様に、撮影システムＦを用いる際、被写体（使用者）Ａは、例えば片手でスマートフォンＰを把持し、自身の構図等を確認及び調節する。そして、もう一方の手や、スマートフォンＰを把持している手の人差し指等で、スマートフォンＰを操作し、撮影等を行う。
【００３５】
この他にも、スマートフォンＰを、自撮り棒や三脚等に取り付けて用いることができる。
【００３６】
図３に示す表示例は、二つの表示体Ｆ２１を、マルチディスプレイの様に一つのディスプレイとして用いた例を示すものである。二つの表示体Ｆ２１の内、向かって左の表示体Ｆ２１には、被写体（使用者）Ａの顔の、向かって右半分が表示され、向かって右の表示体Ｆ２１には、被写体（使用者）Ａの顔の、向かって左半分が表示されている。
【００３７】
上記した表示形式は、通常のインカメラと同様に、鏡像であるが、スマートフォンＰを適宜操作することにより、左右を反転させ、相手から見えるそのままの像（正像）を表示することもできる。
【００３８】
図４に示す表示例において、二つの表示体Ｆ２１の内、向かって左の表示体Ｆ２１は、撮影レンズＦ１を通した被写体（使用者）Ａの顔の、向かって右半分が表示され、かつ動画撮影可能な状態となっている。向かって右の表示体Ｆ２１には、スマートフォンＰにインストールされているゲームアプリケーションの映像が表示されている。
【００３９】
被写体（使用者）Ａは、右の表示体Ｆ２１を介して、ゲームアプリケーションの操作を行い、左の表示体Ｆ２１を介して、自身の構図等を確認しながら動画撮影を行う。
【００４０】
この他にも、右の表示体Ｆ２１には、スマートフォンＰに記憶された動画情報や、インターネットに接続することにより取得される動画サイト中の動画情報等、種々の動画情報を表示することができる。
【００４１】
図５に示す表示例において、二つの表示体Ｆ２１の内、向かって左の表示体Ｆ２１は、撮影レンズＦ１を通した被写体（使用者）Ａの顔の、向かって右半分が表示され、かつ動画撮影可能な状態となっている。向かって右の表示体Ｆ２１には、スマートフォンＰに記憶されているテキスト情報の映像が表示されている。テキスト情報として、例えばＰＤＦファイルやＷｏｒｄファイル、ＴＸＴファイル等が挙げられる。
【００４２】
被写体（使用者）Ａは、右の表示体Ｆ２１に表示されているテキスト情報の内容について、確認や読み上げ等を行い、左の表示体Ｆ２１を介して、自身の構図等を確認しながら動画撮影を行う。
【００４３】
この他にも、右の表示体Ｆ２１には、インターネットに接続することにより取得されるウェブ上の記事を表示することができる。
【００４４】
上記した全ての表示例について、複数の表示体Ｆ２１が、略矩形状であり、一つの略矩形状の表示体を、フレーム部Ｆ２２を用いて、短辺方向に２分割したような構成で配置されている例のみ示したが、複数の表示体Ｆ２１の配置状態はこれに限定されない。
【００４５】
例えば、図６（ａ）に示す様に、略同一サイズであり、略矩形状の二つの表示体Ｆ２１について、一つの略矩形状の表示体を、フレーム部Ｆ２２を用いて、長辺方向に二等分割したような構成で配置しても良い。
【００４６】
また、図６（ｂ）に示す様に、一つの略矩形状の表示体を、まず、短辺方向に三等分割し、三等分割した内の中心の表示体Ｆ２１について、フレーム部Ｆ２２を用いて短辺方向に２分割したような構成で配置しても良い。
【００４７】
複数の表示体Ｆ２１への表示内容及び表示形式は、上記した例に限定されず、スマートフォンＰを操作することにより適宜変更可能である。図７を用いて、複数の表示体Ｆ２１への表示内容及び表示形式を決定するまでの流れを説明する。
【００４８】
まず、複数の表示体Ｆ２１全体を一つのディスプレイとして、撮影レンズＦ１を通した映像が表示される（ステップＳ１）。
【００４９】
次に、写真撮影又は動画撮影何れかの撮影モードの選択を行う（ステップＳ２）。
【００５０】
次に、表示内容及び表示形式を決定するための操作対象となる表示体Ｆ２１を一つ選択する（ステップＳ３）。
【００５１】
次に、選択した表示体Ｆ２１を操作して、表示内容の選択を行うか否かを決定する（ステップＳ４）。
【００５２】
表示内容の選択を行わない場合（ステップＳ４でＮ）、ステップＳ５及びステップＳ６を飛ばして、撮影レンズＦ１を通した映像の、表示形式の選択を行う（ステップＳ７）。具体的には、選択した表示体Ｆ２１に、撮影レンズＦ１を通した映像全体を表示するか、一部のみが表示されている状態のままとするか、を選択できる。また、鏡像で表示するか、正像で表示するか、を選択できる。
【００５３】
表示内容の選択を行う場合（ステップＳ４でＹ）、スマートフォンＰに記憶された動画情報、画像情報、テキスト情報や、インターネットに接続することにより取得されるウェブページ等の中から、表示内容を選択する（ステップＳ５）。
【００５４】
次に、選択した表示体Ｆ２１を操作して、選択した表示内容の表示を行う表示体を決定する（ステップＳ６）。操作対象として選択した表示体Ｆ２１の他、複数の表示体Ｆ２１全体を選択し、複数の表示体Ｆ２１全体を一つのディスプレイとして、表示内容の表示を行うこともできる。
【００５５】
次に、選択した表示体Ｆ２１を操作して、選択した表示内容の表示形式を決定する（ステップＳ７）。具体的には、選択した表示内容のサイズを、表示を行う表示体Ｆ２１のサイズに合わせて縮小表示するか、そのままのサイズで表示するか、を選択できる。また、表示内容としてテキスト情報を選択した場合、縦方向のスクロールで表示するか、横方向のスクロールで表示するか、を選択できる。
【００５６】
最後に、リセット操作を行った場合（ステップＳ８でＹ）、ステップＳ１の、複数の表示体Ｆ２１全体を一つのディスプレイとして、撮影レンズＦ１を通した映像が表示されている状態に戻る。
【００５７】
以上のステップで、一つ又は全ての表示体Ｆ２１への表示内容及び表示形式が決定される。このようなステップを、各表示体Ｆ２１に対して行うことで、種々の視覚情報を、様々な組み合わせで、複数の表示体Ｆ２１に同時に表示しておくことが可能となる。
【００５８】
本実施形態によれば、表示体Ｆ２１に穴を設ける加工を施すことなく、表示領域Ｆ２の内部に撮影レンズＦ１を設けることができ、被写体（使用者）Ａがカメラ目線による構図の確認及び自分撮りを行うことが可能となる。また、撮影レンズＦ１の前方は完全に露出した状態であるから、常に鮮明な画質での撮影を行うことが可能となる。
【００５９】
また、撮影レンズＦ１が、表示領域Ｆ２の中心に設けられていることから、カメラ目線による構図の確認及び自分撮りを、さらに容易に行うことが可能となる。
【００６０】
また、フレーム部Ｆ２２の幅と撮影レンズＦ１の外径とが略同一であることから、複数の表示体Ｆ２１間の距離が近接し、視覚情報が視認しやすくなる。
【００６１】
また、複数の表示体Ｆ２１は、複数の視覚情報を適宜変更可能に表示する複数のディスプレイであることから、スマートフォンＰに、撮影レンズＦ１を通した映像を適宜左右反転して表示する、撮影した画像を表示する等の機能を付加することができる。これにより、通常のインカメラのような鏡像の他に、相手から見えるそのままの像（正像）を表示すること可能となる。さらに、撮影した画像をその都度確認できることから、より理想的な自分撮りの写真を撮影することが可能となる。
また、自分撮り以外の用途として、例えば、幼児を撮影する際に、幼児の興味を引く映像を表示しておくことができる。これにより、幼児の目線を表示領域Ｆ２内に誘導し、カメラ目線の写真撮影を容易に行うことが可能となる。
【００６２】
また、二つの表示体Ｆ２１の内、片一方の表示体Ｆ２１に動画を表示し、もう片一方の表示体Ｆ２１に撮影レンズＦ１を通した自身の映像を表示しておくことにより、一つのスマートフォンＰで、容易に実況動画の撮影を行うことが可能となる。
【００６３】
また、二つの表示体Ｆ２１の内、片一方の表示体Ｆ２１にテキスト情報を表示し、もう片一方の表示体Ｆ２１に撮影レンズＦ１を通した自身の映像を表示しておくことができる。これにより、スマートフォンＰをプロンプターとして利用することができ、かつ撮影レンズを通した自身の構図等を確認しながら撮影を行うことが可能となる。
【００６４】
なお、前記実施形態において示した各構成部材の諸形状や寸法等は一例であって、設計要求等に基づき種々変更可能である。
【符号の説明】
【００６５】
Ｐ      スマートフォン
Ｆ      撮影システム
Ｆ１    撮影レンズ
Ｆ２    表示領域
Ｆ２１  表示体
Ｆ２２  フレーム部
Ａ      被写体（使用者）
【図１】
2019009603.tif 000003
【図２】
2019009603.tif 000004
【図３】
2019009603.tif 000005
【図４】
2019009603.tif 000006
【図５】
2019009603.tif 000007
【図６】
2019009603.tif 000008
【図７】
2019009603.tif 000009